(57)【特許請求の範囲】
【請求項１】
正面中央部分に昆虫類飛び込み口を有する箱状容器で、その奥の面に樹皮を貼り付け、表面に人工樹液を広く塗布し、さらに昆虫類が樹皮を掴めない間隔で、樹皮の手前に昆虫が通過できない程度の間隔で縦糸を平行に複数本設け、昆虫類飛び込み口の真下には、縦糸に衝突して落下した昆虫類が昆虫類落下スリットに滑り落ちるように、適度の傾斜で蟻地獄式すべり台を設けることを特徴とする昆虫捕獲箱。
【発明の詳細な説明】
【技術分野】
【０００１】  本発明は、カブトムシ等の昆虫類が活発に活動する深夜から早朝にかけて、自動的に誘引と捕獲を繰り返す、カブトムシ捕獲箱−Ｋ１に関するものである。
【背景技術】
【０００２】  従来のカブトムシ等昆虫類の捕獲は、樹木自体の樹液、もしくは、人工樹液の使用により昆虫類が活発な行動をする深夜から早朝にかけて、歩きながら捕獲するのが一般的であった。
運良く目当ての昆虫に遭遇し捕獲しても、一時的な偶然であり、深夜から早朝まで活動している昆虫類を一ケ所で自動的に誘引、捕獲ができるものではない。
その為、このような捕獲作業は、暗闇で危険を伴う割には、きわめて原始的な方法で効率が悪かった。【０００３】  これまでの昆虫採集は、採集する者の勘をたよりに昆虫類との偶然の遭遇を期待する方法が一般的でした。
そして、昆虫類の習性を利用し、飛来してきた昆虫を自動的に連続して効率良く捕獲し、昆虫採集への野心的期待と捕獲数を満足する昆虫採集器は、皆無に等しかった。
【先行技術文献】
【特許文献】
【０００４】
【実用文献１】
実用新案登録第３１４８９４０号広報
【発明の概要】
【発明が解決しようとする課題】
【０００５】  従来のカブトムシ等昆虫類の捕獲は、昆虫類が活発な行動をする深夜から早朝にかけて、昆虫類が集まりそうな複数の樹木での捕獲に限定されるのが、一般的な方法でした。
採集者が樹木を確認した一瞬、偶然に昆虫類と遭遇しなければ捕獲できず、効率が悪かった。
又、多くの昆虫類との遭遇を望む為、森や林の中を歩き回る必要がある。
その為に、種々の危険を孕んだ昆虫採集となっている。
当該課題を解決する為、日没前に、本発明のカブトムシ捕獲箱−Ｋ１を昆虫類が集まりそうな樹木等に設置放置することで、昆虫類が活動する深夜から早朝にかけて自動的に誘引し、自動的に、しかも連続しての捕獲を可能とした。
本発明のカブトムシ捕獲箱−Ｋ１により、従来の昆虫採集方法の欠点を解決しようとするものである。【０００６】  上記の実用文献１は、昆虫類が本体に巻いたメッシュシートを伝い、それから、ねずみ返し付虫止まり板、内部折曲ねずみ返し部、捕獲室へと、捕獲までの工程や経過時間が長く、途中で逃避される可能性が推測される。
首尾良く捕獲室に落ちても開口部が広く、逃避を防ぐ弁作用的構造が不完全である。
本発明のカブトムシ捕獲箱−Ｋ１は、こうした課題を解決しようとするものである。
【課題を解決するための手段】
【０００７】  本発明のカブトムシ捕獲箱−Ｋ１は、正面中央部分に昆虫類飛び込み口を有する箱状容器で、その奥の面に樹皮を貼り付け、表面に人工樹液を広く塗布し、さらに昆虫類が樹皮を掴めない間隔で、樹皮の手前に縦糸を平行に複数本設け、昆虫類飛び込み口の真下には、縦糸に衝突して落下した昆虫類が昆虫類落下スリットに滑り落ちるように、適度の傾斜で蟻地獄式すべり台を設けること（請求項１）を要件とする。【０００８】  上記において、昆虫類が樹液と紫外線に集まる習性を利用し、昆虫類飛び込み口に強力に誘引して捕獲を可能とする。
本体の奥に貼り付けた樹皮に、人工樹液を広く塗布し濃厚な樹液臭を発散させて、昆虫類を誘引する。
又、集虫光照明による誘引も相乗効果による効率的な捕獲を可能とした。【０００９】  本発明のカブトムシ捕獲箱−Ｋ１により本体に誘引された昆虫類は、本体内部の人工樹液を塗った樹皮に向かって、昆虫類飛び込み口から飛び込んでくる。  しかし、樹皮の２ｃｍ程手前にテグス等の縦糸が平行に張ってある事に気付かず、それに衝突する。  視力が弱く、しかも不器用な昆虫類は樹皮に到達すること無く、テグス等の縦糸に衝突し跳ね返されて蟻地獄式すべり台の上に落下する。  昆虫類は、そこから這い上がれずに昆虫類落下スリットまで滑り、捕獲室へと落下する。  又、衝突時に縦糸を掴んだ昆虫類も縦糸を掴んだまま昆虫類落下スリットを通り、捕獲室まで滑り落ちることとなる。【００１０】  捕獲室に捕獲した昆虫類は、図５のように蟻地獄式すべり台を持ち上げることで捕獲室の内部を露出させ、昆虫類取出し口から容易に取出しができる構造になっている。
以上を特徴とするカブトムシ捕獲箱−Ｋ１である。
【発明の効果】
【００１１】  本発明は、以下のような効果を発する。
（イ）  従来の昆虫類との一時的遭遇を期待した採集方法とは違い、日没前に本発明のカブトムシ捕獲箱−Ｋ１を設置し放置することにより、昆虫類の活動が活発な深夜から早朝にかけて自動的に連続して、高確率での誘引捕獲が可能となる。
（ロ）  本発明のカブトムシ捕獲箱−Ｋ１は、樹皮の表面に人工樹液を広く塗布できる為、濃厚な樹液臭を素早く発散し広範囲に活動している昆虫類を強力に誘引することが可能となる。
（ハ）  本発明のカブトムシ捕獲箱−Ｋ１の誘引から捕獲までの工程は、テグス等の縦糸、それから、蟻地獄式すべり台、捕獲室へと、構造や工程が単純で昆虫類に逃避の余裕を与えず、捕獲効率が非常に高い。
（ニ）  捕獲室に入った昆虫類は逃避行動を起こすが、捕獲室内部には、足の爪を引っ掛ける突起物が無く這い上がることは、出来ない。
やがて、羽根を広げて飛翔での逃避を試みるが、狭すぎる昆虫類落下スリットからの外界脱出は、弁作用に阻まれて叶わないこととなる。
昆虫類は、採集されるまで捕獲室で待つ運命となり、高確率での捕獲が可能となる。
（ホ）  従来の昆虫類の採集は、森や林を歩き回る為、蚊や蜂、虻等に刺されたり、蛇や動物に危害を受ける事も考えられる。
又、昆虫が飛散する前の深夜から早朝までの採集に限られる為、危険も多く時間的制約から逃れられない。
本発明のカブトムシ捕獲箱−Ｋ１は、任意の時間に設置や採集ができる為、時間的制約から解放され安全な昆虫採集が可能となる。
【図面の簡単な説明】
【００１２】
【図１】  本発明のカブトムシ捕獲箱−Ｋ１の斜視図である。
【図２】  本体の側面から見た断面図である。
【図３】  本体の前面から見た断面図である。
【図４】  本体の側面から見た捕獲時の断面図である。
【図５】  本体から昆虫類を取出し時の斜視図である。
【発明を実施するための形態】
【００１３】  以下、本発明の実施の形態について説明する。カブトムシ捕獲箱−Ｋ１本体１（以下本体１）は、木製やプラスチック等の素材で箱状に作られたものである。  広範囲に点在している昆虫類を強力に誘引する為に、本体１の奥の面に昆虫類が好む人工樹液１９を広く塗布できる樹皮１８がある。  そして、誘引されて、昆虫類飛び込み口２に飛び込んだ昆虫類が平行に張ってある縦糸２０に衝突した際に、樹皮１８を掴めないように樹皮１８と縦糸２０の間隔を２ｃｍ程にしてある。さらに、縦糸２０の間隔は、平行に各々２ｃｍ程度の間隔で張ってある。  その真下には、人工樹液１９に誘引され縦糸２０に衝突して落下してきた昆虫類が、昆虫類落下スリット２２を通り捕獲室１４に滑り落ちる角度で蟻地獄式すべり台３を設置してある。  さらに、本体１の前面側上部に集虫光照明１２を備えて人工樹液１９を照射し、相乗的に誘引効果を高めている。  本体１には、持ち運び紐７があり移動時に使用する。
【００１４】  これを使用するときは、任意の時間に本発明のカブトムシ捕獲箱−Ｋ１を昆虫類が出没しそうな場所に固定する。
昆虫類を誘引する為、本体１の奥にある樹皮１８に人工樹液１９を塗布する。
さらに、集虫光照明１２を点灯させた後、一定時間放置して任意の時間に捕獲室１４から捕獲した昆虫類の採集をする。
又、本体１の周囲には、紐を通して使用できる固定用穴１０が１０ケ所あり、多様な捕獲場所にも対応できる。
本体１の設置が済み、昆虫類が活発に活動する時間帯になると、人工樹液１９の臭いと集虫光照明１２に誘引された昆虫類が、昆虫類飛び込み口２に向かって飛び込んでくる。
しかし、樹皮１８の２ｃｍ程手前に張ってあるテグス等の縦糸２０に、視力が弱く不器用な昆虫類は気付かず、不意に衝突して蟻地獄式すべり台３の上に落下する。
落下した昆虫類は、蟻地獄式すべり台３の上で、もがきながら滑り始め、やがて昆虫類落下スリット２２から捕獲室１４へと落下してしまう。
又、テグス等の縦糸２０に衝突し首尾良く、その縦糸２０にしがみついた昆虫類も樹皮１８には足が届かず、テグス等の縦糸２０を掴んだまま昆虫類落下スリット２２を通り、捕獲室１４へと滑り落ちる。
捕獲室１４に捕獲した昆虫類の取出しは、蟻地獄式すべり台３を図５のように持ち上げると、捕獲室１４の内部が露出して昆虫類取出し口２３から容易に取出しができる構造になっている。
本発明は、以上のような構成である。
【符号の説明】
【００１５】１  カブトムシ捕獲箱−Ｋ１本体    ２  昆虫類飛び込み口
３  蟻地獄式すべり台              ４  捕獲昆虫取出しストッパー
５  蟻地獄式すべり台回転軸受け穴  ６  昆虫類溢れ防止側板
７  持ち運び紐                    ８  持ち運び紐保持金具
９  水抜き穴                      １０  固定用穴
１１  単２乾電池ホルダー          １２  集虫光照明
１３  集虫光照明取り付け板        １４  捕獲室
１５  蟻地獄式すべり台回転軸      １６  テグス等の縦糸保持金具
１７  輪ゴム保持金具              １８  樹皮
１９  人工樹液                    ２０  テグス等の縦糸
２１  輪ゴム                      ２２  昆虫類落下スリット
２３  昆虫類取出し口
【図１】
0005991762.tif 000002
【図２】
0005991762.tif 000003
【図３】
0005991762.tif 000004
【図４】
0005991762.tif 000005
【図５】
0005991762.tif 000006